(57)【特許請求の範囲】
【請求項１】
スリーブ継手の端部内壁に嵌着されるスリーブ継手用プラグで、該スリーブ継手用プラグは、硬質プラスチック製の外筒体と、その内側に結合される軟質プラスチック製の内筒体からなり、該外筒体の外壁面には、スリーブ継手の端部内壁面に設けた嵌着機構に嵌合する嵌着機構を、又、該内筒体の内壁面には、鉄筋を保持する複数個の環状ひれ突起を設けたことを特徴とするスリーブ継手用プラグ。
【発明の詳細な説明】
【０００１】
【産業上の利用分野】
本発明はスリーブ継手用プラグに関するものである。該プラグはスリーブ継手内に挿入された鉄筋を該継手に固定するとともに継手の開口と鉄筋との間の間隙をシールする目的で使用される。
【０００２】
【発明の背景】
細長い中空の筒体よりなり、その両端開口から鉄筋を挿入して硬化性充填材を充填しこれの硬化により一対の鉄筋の突合せ状接合をなす鉄筋継手であるスリーブ継手は周知である。
【０００３】
スリーブ継手内に挿入された鉄筋を該継手に固定するとともに継手の開口と鉄筋との間の間隙をシールする目的で従来、図２に示す弾性材料製のプラグが使用されている（実開平４−１１４９０９号公報参照）。図において７は装着部、８は鉄筋保持部である。装着部７をスリーブ継手の開口端部の外壁に嵌込んで装着する。鉄筋保持部８は鉄筋を遊挿できる貫通孔である鉄筋挿通孔９が設けられていて、その内壁面には環状ひれ１０が複数個設けられている。この環状ひれ１０の開き径Ｄは鉄筋の外径より小さいから、鉄筋挿入に伴い環状ひれは屈曲して鉄筋外面に密着するとともに鉄筋を鉄筋保持部内に保持する。なお、鉄筋保持部側壁にはスリーブ継手端部に設けられている排出口の呼出しが顔をだすための側孔１１が設けられている。
【０００４】
鉄筋としては一般に異形鉄筋が用いられるが、この鉄筋は表面に複雑な凹凸模様が刻設されておりかつその模様は鉄筋の銘柄により異なっているので鉄筋挿通孔と鉄筋とのシールが難しいが、環状ひれの存在により挿入異形鉄筋の外形が変わってもその外形によく追随してこれに密着しシールが完全となる。
【０００５】
上記シールの目的のためにはプラグの材質は柔軟性に富むものでなければならない。一方、装着部はプラグと継手との固定力が大きいことが要求される関係上剛性の大きい材質であることが望まれる。従来のプラグにおいては、上記シールの目的を優先するため柔軟性に富む材料で製作されている。なお、装着部を継手開口端外壁に嵌込むには継手開口端外径より小さい内径の装着部を手で引き伸ばし広げながら嵌込んで収縮力によって密着させて装着する関係上材料の柔軟性が要望されているが、装着部の材質が柔軟性に富むもの、換言すれば剛性の低いものであるので、従来のプラグにおいてはプラグと継手との間の固定力が不十分であるという問題点があった。
【０００６】
【発明の開示】
本発明は、従来のプラグにおける上述の問題点の解決を図って提供されるものであって、装着部を剛性の大きい硬質プラスチック（硬質エラストマーを含む）で、また鉄筋保持部を柔軟性に富む軟質プラスチック（軟質エラストマーを含む）で構成することによりこれを解決したものである。
【０００７】
本発明は、スリーブ継手の開口端部に設けられた嵌着機構と雌雄嵌合式に嵌合できる嵌着機構を具えて該端部に嵌着できる外筒体である硬質プラスチックおよび硬質エラストマー（以下総称して硬質プラスチックとする）製の装着部と、この内部にこれと一体的に結合している内筒体である軟質プラスチックおよび軟質エラストマー（以下総称して軟質プラスチックとする）製の鉄筋保持部とより構成され、該鉄筋保持部の鉄筋挿通孔内壁面に複数個の環状ひれが設けられていることを特徴とするスリーブ継手用プラグ、である。
【０００８】
本発明における硬質プラスチックとしては、硬質ポリエチレン、ポリプロピレレン、ポリカーボネート、ポリアミド、その他硬質のプラスチックおよび充填材を加えた硬質プラスチック、硬質ゴム等であって若干たわみ性のあるものが好ましい。また、軟質プラスチックとしては、塩ビ・酢ビ等のビニール系プラスチック、オレフィン系・スチレン系・塩ビ系・ポリエステル系・ポリアミド系・ウレタン系・その他のエラストマー、軟質ゴム等弾性のあるものが好ましい。
【０００９】
雌雄嵌合式嵌着機構としては、オスネジとメスネジ、または螺旋突起と螺旋溝の組み合わせである螺着式、鋸歯噛み合い式、鉢巻嵌合式等があるが、その他公知の嵌着機構が利用できる。
【００１０】
嵌着部のスリーブ継手開口端部への装着方式は、継手内壁に嵌着する内付け方式にし、外筒体と内筒体との結合は、接着、嵌着であってもよいが射出成型による一体成型による結合が好ましい。
【００１１】
本発明のプラグの一つの態様例を図１に示す。このものは内付け方式のプラグであって、１は硬質ポリエチレン製の装着部（斜線を付した部分）であり、２は軟質プラスチックとして、例えば三菱油化株式会社製スチレン系エラストマー、商品名：ラバロン（以下ラバロンとする）製の鉄筋保持部である。同（ａ）図におけるプラグの装着部１の外壁に刻設されている嵌着機構５は鋸歯噛み合い式である。すなわち、プラグ長軸に傾斜する背部と該長軸に垂直な腹部とより構成される１段の鋸歯が１段または複数段設けられている。鉄筋保持部２はその長軸に沿って鉄筋を遊挿できる貫通孔である鉄筋挿通孔３が設けられており、該挿通孔の内壁面上には挿通孔長軸に垂直方向に突設された薄肉の環状ひれ４が複数個設けられている。この環状ひれ４は好ましくは鉄筋挿通孔３の入口に始まり出口に終り、ほぼ等間隔に設けられ、その開き径Ｄは挿通される鉄筋の外径より小さい。このプラグは、スリーブ継手の開口端部内壁面に設けられた雌雄関係にある鋸歯噛み合い式嵌着機構に、該開口からプラグを押し込むことにより嵌着される。同（ｂ）図におけるプラグの装着部１（斜線を付した部分）の外壁に刻設されている嵌着機構は螺着式であり、プラグの材質および鉄筋保持部の構造は同（ａ）図のプラグと同じである。なお、同（ｂ）図において装着部１の基部１２がフランジ形に成形されているが、これは、このプラグをスリーブ継手に螺着するときまたは螺着後脱離するときここをつまんで螺着または脱離すれば、ここが硬質であるため作業しやすい利点がある。この利点はフランジ形基部の周縁にギザギザを設けると一層大きい。
【００１２】
図１のプラグを製作するには、まず、鉄筋保持部を成型する金型を組み立ててラバロンで鉄筋保持部を射出成型する。ついで、鉄筋保持部の外壁に接している金型を外して装着部の外壁に接すべき金型を配置し、この金型と鉄筋保持部外壁との間に生じた間隙内に硬質ポリエチレンを射出する。これにより鉄筋保持部と装着部とが一体的に結合されたプラグが射出成型により製作される。上記製作順序を変えて装着部をまず成型した後、装着部内壁に接している金型を外して鉄筋保持部内壁に接すべき金型を配置してこの金型と装着部内壁との間に生じた間隙内に射出成型する方法でもよい。
【００１５】
【発明の効果】
本発明のプラグは、それぞれ異なった剛性を要求される装着部および鉄筋保持部に対しそれぞれの要求に合致する材料が使用されるので、従来のプラグにくらべシール能力が同じで継手に対する固定力が大きいプラグが提供できる。なお、従来のプラグは外付け方式であったが、本発明の内付け方式プラグのものは鉄筋保持部が継手端部内に収容されているため継手に対する固定力が外付け方式よりさらに大きくなるほか、継手の外での鉄筋のコンクリートとの非接触部分がなくなって、いわゆる断面欠損がなくなる利点がある。また、図１（ｂ）に示したように装着部の基部をフランジ状に成形しておくとプラグの螺着および脱離作業上便利である。
【図面の簡単な説明】
【図１】本発明の内付け方式プラグを示す縦断面図である。
【図２】従来のプラグを示す縦断面図である。
【符号の説明】
１  装着部
２  鉄筋保持部
３  鉄筋挿通孔
４  環状ひれ
５  鋸歯式噛み合い嵌着機構
７  装着部
８  鉄筋保持部
９  鉄筋挿通孔
１０  環状ひれ
１１  側孔
１２  基部
Ｄ  開き径
【図１】
0003639621.tif 000002
【図２】
0003639621.tif 000003